(57)【要約】      （修正有）【課題】色彩の特異性により華やかな装飾が可能となり、点灯が利かなくなるような不都合がなくなり、消費電力が極めて少ないために電池の有効利用が可能であり、遠くからもリモコン操作で灯明を点滅できるリモコン式灯明仏壇を提供する。【解決手段】灯を発する仏具で装飾された仏壇において、灯を点滅する片手持ち型のリモコン操作盤を備えてなり、灯源が発光ダイオードであって、仏具にその発光ダイオードの他に、発光ダイオードを発光させるに要する電気を供給する電池と、その電気の供給をリモコン操作盤からの発信情報によりオン／オフに切り換える受信器とを具備してなることを特徴とする。【選択図】図１
0003142946.tif 000002
【実用新案登録請求の範囲】
【請求項１】
灯を発する仏具で装飾された仏壇において、灯を点滅する片手持ち型のリモコン操作盤を備えてなり、灯源が発光ダイオードであって、仏具にその発光ダイオードの他に、発光ダイオードを発光させるに要する電気を供給する電池と、その電気の供給をリモコン操作盤からの発信情報によりオン／オフに切り換える受信器とを具備してなることを特徴とするリモコン式灯明仏壇。
【請求項２】
仏具に灯明器が着脱可能に取り付けられ、その灯明器は、取付台としてのケースに発光ダイオードが内装される灯明ないし半灯明の中空体を立設し、ケースに前記電池および受信器が内装されていることを特徴とする請求項１記載のリモコン式灯明仏壇。
【考案の詳細な説明】
【技術分野】
【０００１】
この考案は、リモートコントロール（本明細書ではリモコンと略称する）により仏具の照明を点滅（点灯と消灯）をなし得るようにしたリモコン式灯明仏壇に関する。
【背景技術】
【０００２】
仏壇は、広義には仏を祀る壇全般を指し、寺院の仏堂において仏像を安置する壇も含まれるが、一般家庭において仏を祀る逗子であるとともに、家族の死者や先祖を祭る祭壇として安置されるものを指すことが多い。内部は仏教各宗派の本山寺院の仏堂を模した豪華な作りになっており、輪灯や吊灯籠等の灯明で華やかに飾られた内部に、仏像が置かれたり、本尊の軸が掛けられたり、位牌が納められたりされる。
【０００３】
従来、灯明には蝋燭が使用されてきたが、着火が面倒であるばかりか、煤ける原因となり火災の危険が伴う等の理由から、最近では蝋燭の灯火に似せた白熱灯の豆電球が使用され、マッチで点火することなくスイッチにより豆電球を点滅して簡便に使用できるようになっている。
【考案の開示】
【考案が解決しようとする課題】
【０００４】
従来の仏壇によれば、上記のように灯明に白熱電球を使用していたが、それは外側の形を先細の灯火に似せたもので、点灯するとやゝ橙色に発色するので、蝋燭の灯火として擬せられ、また、輪灯や吊灯籠等の中に納まっていると、蝋燭の灯火が中に入っていると擬せられる。しかしながら、灯火の発色が単調であるため、仏壇の中を華やかに装飾するには限界があり、また、電球が切れると取り替えが面倒であり、特に老人等の身体不自由者であるとそれが難しかった。また、豆電球の電源に家庭の電気を配線により取り入れていたので、配線が煩雑に見え、また、点灯の際にはスイッチの箇所に近づく動作が必要のため、殊に身動きが不自由であると不都合が感じられた。
【０００５】
この考案は、上記のような実情に鑑みて、色彩の特異性により華やかな装飾が可能となり、点灯が利かなくなるような不都合がなくなり、消費電力が極めて少ないために電池の有効利用が可能であり、遠くからもリモコン操作で灯明を点滅できるリモコン式灯明仏壇を提供することを課題とした。
【０００６】
上記の課題を解決するために、この考案は、灯を発する仏具で装飾された仏壇において、灯を点滅する片手持ち型のリモコン操作盤を備えてなり、灯源が発光ダイオードであって、仏具にその発光ダイオードの他に、発光ダイオードを発光させるに要する電気を供給する電池と、その電気の供給をリモコン操作盤からの発信情報によりオン／オフに切り換える受信器とを具備してなることを特徴とするリモコン式灯明仏壇を提供するものである。
【考案の効果】
【０００７】
この考案のリモコン式灯明仏壇によれば、発光ダイオードが発光する色彩の多様性と特異性により華やかで魅力的な仏具による装飾が可能となり、発光ダイオードの寿命が半永久的に長いために、点灯が利かなくなるような不都合がなくなり、その消費電力が極小さいので電池の有効利用が可能であって、内部を見苦しく配線する必要もなくなり、また、礼拝位置に居ながらでもリモコン操作で都合良く灯を点滅でき、殊に身動きが不自由な者にとっては非常に具合が良い等の優れた効果がある。
【考案を実施するための最良の形態】
【０００８】
次に、この考案の実施形態を図面に基づいて説明する。
【０００９】
図１はモコン式灯明仏壇Ｐをそれに付属する片手持ち型のリモコン操作盤Ｈと共に示したもので、内部の様子がわかるように左右扉２，２が開かれた図示とした。その内部は基本的には３段となっており、上段としての須弥壇（しゅみだん）１の上の宮殿（くうでん）３に本尊を表した軸５が掛けられ、リモコン操作盤Ｈとの関係では、宮殿３とは柱６，６で隔てた両側にそれぞれ仏具としての輪灯７と吊灯籠９とが吊り下げられ、中段にろうそく立１１が置かれている。なお、軸５の代わりに本尊の像が置かれるというように、内部の様子、つくり、飾り等は図示のものとは違い様々となり得ることはいうまでもない。
【００１０】
輪灯７と吊灯籠９には、図２に示すような灯明器１３が着脱可能に具備され、輪灯７では輪の中に下端の座１５の上に取り付けて設置され、また、吊灯籠９では半透明な円形の灯籠の中に同じような灯明器１３が内装される。
【００１１】
灯明器１３は、取付台としてのケース１７の上に透明または半透明の中空体１９を立設し、中空体１９はろうそくの灯の形状であって、その中に発光ダイオード（ＬＥＤ）２１が内装される。また、ケース１７の中には電池２３の他に、それを発光ダイオード２１に対してオン／オフ（ＯＮ／ＯＦＦ）する受信器２５が内装され、その受光部２７が前面に露出される。なお、発光ダイオード２１には、赤色（１．５Ｖ程度）、桃色、黄色、緑色（いずれも２．５Ｖ程度）のように様々な発光色のものが使用される。
【００１２】
ろうそく立１１は前記のものとは形が異なるが灯明器１３付きであって、ろうそく立１１の上にはろうそくに似せた筒形のケース１７とその灯に似せた中空体１９とが順次立設されている。なお、この場合も、図示は省略するが、中空体１９に前記（図２）の如く発光ダイオード２１を内装し、ケース１７には電池２３と受信器２５とが内装され、ケース１７の前面に受光部２７が露出される。
【００１３】
リモコン操作盤Ｈは、手の平に納まる程度の大きさであって、幾つかのボタンがあって、ボタン操作で赤外線等を受光部２７に発射し、灯明器１３を点滅するようにしたものである。この場合、灯明器１３を個別に点滅するようにできるし、全部を一挙に点滅することもできるように、選択ボタン形式にすることが望ましい。例えば、符号２９のボタンで、輪灯７、吊灯籠９、ろうそく立１１を次々と個別に点滅でき、３０のボタンでは全部を一挙に点滅できるようにするという具合である。
【００１４】
図３は置灯籠１２として実施した場合であるが、仏具に取り付ける灯明器１３としても使用できるもので、台としてのケース１７は蓮の花の形状３１で装飾し、その上に円形で薄い桃色の半透明な中空体１９を立設し、その中において中心に赤の発光ダイオード２１を、その回りに複数の青と橙の発光ダイオード２１，２１，・・が交互に配列される。そのため非常に荘厳で魅惑的な発色となる。
【図面の簡単な説明】
【００１５】
【図１】この考案のリモコン式灯明仏壇を示す正面から見た斜視図である。
【図２】同仏壇の仏具に装着される灯明器を一部切欠して示す正面図である。
【図３】他の実施形態による灯明器を一部切欠して示す正面図である。
【符号の説明】
【００１６】
Ｐ  リモコン式灯明仏壇
Ｈ  リモコン操作盤
７  仏具としての輪灯
９  仏具としての吊灯籠
１１  仏具としてのろうそく立
１２  仏具としての置灯籠
１３  灯明器
１７  ケース
１９  中空体
２１  発光ダイオード
２３  電池
２５  受信器
【図１】
0003142946.tif 000003
【図２】
0003142946.tif 000004
【図３】
0003142946.tif 000005